(57)【要約】【課題】大電流回路に起因する電気接続箱の発熱を防止する。【解決手段】幅狭部８，１０と幅広部９，１１とで成る少なくとも二つの分割接続箱２，３が一方の幅狭部と幅広部、他方の幅狭部と幅広部で相互に合体して構成され、各分割接続箱２，３の外壁４，５側に大電流用のバスバー６，７がそれぞれ配索され、大電流用のバスバーに沿って大電流用ヒュージブルリンク装着部１２，１３が各分割接続箱の幅狭部において対角方向に設けられた分割式電気接続箱１を採用する。大電流用ヒュージブルリンク装着部１２，１３において大電流用ヒュージブルリンクの一対の端子を幅狭部８，１０の内面８ａ側と外面８ｂ側とからバスバーや外部端子にねじ締め接続する。幅狭部８の内面８ａが相手側の分割接続箱３の幅広部１１の内面に接合される。各大電流用のバスバー６，７を電線で相互に接続する。【選択図】　　　図１
2004072940.tif 000002
【特許請求の範囲】
【請求項１】
幅狭部と幅広部とで成る少なくとも二つの分割接続箱が一方の幅狭部と幅広部、他方の幅狭部と幅広部で相互に合体して構成され、各分割接続箱の外壁側に大電流用のバスバーがそれぞれ配索され、該大電流用のバスバーに沿って大電流用ヒュージブルリンク装着部が各分割接続箱の幅狭部において対角方向に設けられたことを特徴とする分割式電気接続箱。
【請求項２】
前記大電流用ヒュージブルリンク装着部において大電流用ヒュージブルリンクの一対の端子が前記幅狭部の内面側と外面側とからバスバーや外部端子にねじ締め接続されることを特徴とする請求項１記載の分割式電気接続箱。
【請求項３】
前記幅狭部の内面が相手側の分割接続箱の幅広部の内面に接合されることを特徴とする請求項２記載の分割式電気接続箱。
【請求項４】
前記各大電流用のバスバーが電線で相互に接続されたことを特徴とする請求項１〜３の何れか１項に記載の分割式電気接続箱。
【発明の詳細な説明】
【０００１】
【発明の属する技術分野】
本発明は、大電流用のバスバーとそれに接続されるヒュージブルリンク等を有して少なくとも二つに分割される分割式電気接続箱に関するものである。
【０００２】
【従来の技術】
図５は、従来の分割式電気接続箱の一形態として、本出願人が特開平１０−２４７４５１号で提案した構造を示すものである。
【０００３】
この分割式電気接続箱５１は、ヒュージブルリンク５２，５３やリレー５４を装着する第一の分割接続箱５６と、リレー５５を装着する第二の分割接続箱５７とで構成されている。各分割接続箱５６，５７は合成樹脂製の接続箱本体にヒューズ装着用やリレー装着用の各ハウジングを有している。ヒュージブルリンクは電源の大電流に対応したもの（５２）が一つ配置され、このヒュージブルリンク５２を経て個々に給電されるもの（５３）が複数配置されている。リレー５４は例えばヒュージブルリンク５３を介して接続されている。各ヒュージブルリンク５２，５３は導電金属板であるバスバー５７で相互に接続されている。
【０００４】
図６にも示す如く、電源用のヒュージブルリンク５２はその一対の端子部５８を電線５９の端末の丸型板端子６０にボルト６１とナットで締付接続される。一対の端子部５８はケース５２ａ内の可溶体に続いている。電線５９はリレー５５に接続されている。ボルト６１はインパクトレンチ（工具）６３を用いてねじ込まれる。
【０００５】
二つの分割接続箱５６，５７はスライド嵌合や係止等によって合体される。電気接続箱５１を二つに分割することで、樹脂成形が容易化し、複雑な構造を容易に得ることができる。電気接続箱５１は接続箱本体と一体のブラケット６４で車両ボディ等に固定される。
【０００６】
上記以外に本出願人は特開平８−２７９６８６号公報において大きさのほぼ等しい三つの分割接続箱を合体させる構成の分割式電気接続箱を提案している。
【０００７】
【発明が解決しようとする課題】
しかしながら、上記従来の分割式電気接続箱にあっては、大電流用のヒュージブルリンクに続くバスバーが例えば並列に近接して配置された場合や、大電流用のヒュージブルリンクが二つ隣接して配置された場合に、熱がバスバー周りやヒュージブルリンク周りに集中して、電気接続箱内が加熱され、近くのヒュージブルリンクや小電流用のヒューズやリレー等に悪影響を与えかねないという懸念があった。また、工具でヒュージブルリンクの端子にバスバーをねじ締め接続する際に、作業者が分割接続箱を手で扱いにくく、接続作業性が悪いという問題もあった。
【０００８】
本発明は、上記した点に鑑み、大電流用のヒュージブルリンクやそれに続くバスバーに起因する熱の集中をなくし、しかもヒュージブルリンクとバスバーとの接続作業性の良好な分割式電気接続箱を提供することを目的とする。
【０００９】
【課題を解決するための手段】
上記目的を達成するために、本発明に係る分割式電気接続箱は、幅狭部と幅広部とで成る少なくとも二つの分割接続箱が一方の幅狭部と幅広部、他方の幅狭部と幅広部で相互に合体して構成され、各分割接続箱の外壁側に大電流用のバスバーがそれぞれ配索され、該大電流用のバスバーに沿って大電流用ヒュージブルリンク装着部が各分割接続箱の幅狭部において対角方向に設けられたことを特徴とする。
上記構成により、一方の分割接続箱の幅狭部と他方の分割接続部の幅広部、一方の分割接続箱の幅広部と他方の分割接続部の幅狭部とが相互に接合して、両分割接続箱が合体される。大電流用のバスバーが各分割接続箱の外側に位置しているから、外部との放熱性が良く、バスバーの加熱が防止される。また、大電流用の各バスバーが相互に遠く離間しているから、相互の熱干渉が起こらない。また、各バスバーに接続される各大電流用ヒュージブルリンクが電気接続箱の対角方向に遠く離間して位置するから、これによっても相互の熱干渉が防止される。これらにより、大電流に起因する電気接続箱の温度上昇（発熱）が防止される。
【００１０】
請求項２に係る分割式電気接続箱は、請求項１記載の分割式電気接続箱において、前記大電流用ヒュージブルリンク装着部において大電流用ヒュージブルリンクの一対の端子が前記幅狭部の内面側と外面側とからバスバーや外部端子にねじ締め接続されることを特徴とする。
上記構成により、各分割接続箱の各幅狭部の内面側と外面側とから幅狭部の厚さ方向に大電流用ヒュージブルリンクの一対の端子を大電流用のバスバーや外部端子に作業性良くねじ締め接続させることができる。また、幅狭部における大電流用ヒュージブルリンクの端子接続側のスペースが小さくて済み、デッドスペースを極力小さくできる。
【００１１】
請求項３に係る分割式電気接続箱は、請求項２記載の分割式電気接続箱において、前記幅狭部の内面が相手側の分割接続箱の幅広部の内面に接合されることを特徴とする。
上記構成により、一方の分割接続箱の内面側においてヒュージブルリンクの端子接続部が他方の分割接続箱の幅広部で接合されて、外部からの雨水の侵入や干渉等から保護される。
【００１２】
請求項４に係る分割式電気接続箱は、請求項１〜３の何れか１項に記載の分割式電気接続箱において、前記各大電流用のバスバーが電線で相互に接続されたことを特徴とする。
上記構成により、各大電流用のバスバーを相互に接続する電線が外部又は電気接続箱内で露出されることで空冷されて、電気接続箱の温度上昇（発熱）が防止される。
【００１３】
【発明の実施の形態】
以下に本発明の実施の形態を図面に基づいて詳細に説明する。
図１〜図３は、本発明に係る分割式電気接続箱の一実施形態を示すものである。
【００１４】
この分割式電気接続箱１は、図１（裏面図）の如く長方形状に形成され、その中央付近から略クランク状にほぼ同じ大きさの第一の分割接続箱２と第二の分割接続箱３とに分割され、各分割接続箱２，３の外壁４，５に沿って大電流用の各バスバー６，７が配設され、各分割接続箱２，３の幅狭部（薄肉部）８，１０に、各バスバー６，７に接続される大電流用ヒュージブルリンクの装着部１２，１３が配設されたものである。
【００１５】
各分割接続箱２，３の幅狭部８，１０と幅広部（厚肉部）９，１１とは回転対称に配置され、第一の分割接続箱２の幅狭部８は第二の分割接続箱３の幅広部１１に接合し、第一の分割接続箱２の幅広部９は第二の分割接続箱３の幅狭部１０に接合している。両分割接続箱２，３は各幅狭部と幅広部との二カ所でレール部とガイド部との合体手段１４で上下方向にスライド式に嵌合し、係止突起と係合段部との係止手段（図示せず）で係止される。
【００１６】
各分割接続箱２，３には各一つの大電流用のヒュージブルリンク装着部１２，１３と、複数の中電流用のヒュージブルリンク装着部１５と、複数の小電流用のヒューズ装着部１６と、複数のリレー装着部１７とがそれぞれ設けられている。各電気部品装着部１２，１３，１５〜１７は合成樹脂製の接続箱本体に形成されたハウジングと、ハウジング内の接続用の端子（図示せず）とで構成される。
【００１７】
各分割接続箱２，３において、大電流用のヒュージブルリンク装着部１２，１３に隣接して接続箱長手方向にヒューズ装着部１６が並列に配置され、ヒューズ装着部１６に隣接して接続箱長手方向に中電流用のヒュージブルリンク装着部１５が並列に配置されている。各電気部品装着部１６，１５に沿ってバスバー６，７が配置されている。バスバー６は図４の如く垂直な板部１９の長手方向にヒューズ接続用の音叉状の端子２０と中電流ヒュージブルリンク接続用のタブ端子２１とを並列に有している。
【００１８】
第一の分割接続箱２（図１）において大電流用のヒュージブルリンク装着部１２に隣接して幅狭部８の端部寄りにスタッドボルト２２が設けられ、スタッドボルト２２はバスバー６の水平な板部２３（図４）にナットで締付接続されている。水平な板部２３はボルト挿通用の孔部２４を有している。スタッドボルト２２にバッテリからの図示しない回路（太電線）が接続される。
【００１９】
大電流用のヒュージブルリンク装着部１２には二つのナット２５が隔壁（絶縁壁）２６を介して背中合わせに対称に配設され、一方（外側）のナット２５にバスバー６の垂直な板部２７（図２〜図４）がボルトで締付接続される。垂直な板部２７はボルト挿通用の孔部２８（図４）を有している。
【００２０】
図２，図３の如く、垂直な板部２７の外側と他方のナット２５とに近接して接続箱本体のヒュージブルリンク装着部１２の底壁に大電流用のヒュージブルリンクの板状の端子（図示せず）を挿通する一対のスリット状の孔部２９が設けられている。
【００２１】
一対のナット２５の上側にヒュージブルリンク装着部１２のキャビティ（嵌合室）３０が設けられ、一対のナット２５の下側に丸型板端子付きの電線を収容する空室３１が設けられ、空室３１はナット軸方向の締付作業用の開口３２と下方の電線導出用の開口３３とに連通している。空室３１の内壁に沿ってバスバー６が配置される。これは第二の分割接続箱３においても同様である。
【００２２】
ヒュージブルリンク（図６参照）の一対の端子はボルト挿通用の孔部を有している。各端子は各電線付きの丸型板端子（ＬＡ端子である外部端子）に別々のボルトとナット２５で締付接続される。分割接続箱２，３を分割した状態で、一方の丸型板端子が幅狭部８（図１）の外側から、他方の丸型板端子が幅狭部８の内側からそれぞれ装着され、インパクトレンチ等の工具で締付接続される。これは第二の分割接続箱３においても同様である。
【００２３】
第一の分割接続箱１（図１）においては、他方のナット２５に隣接して第三のナット３４が並列に設けられ、第二，第三のナット２５，３４は短いサブのバスバー３５で連結され、サブのバスバー３５に第三のナット３４とボルトで他の電線付きの丸型板端子が締付接続される。
【００２４】
一対（第一，第二）のナット２５は幅狭部８の板厚方向ほぼ中央に配置され、ナット（ボルト）の軸線は幅狭部８の厚さ方向に一致し、幅狭部８の内面８ａと外面８ｂとの両面側から作業者がインパクトレンチで各ナット２５にバスバー６，３５やヒュージブルリンクや丸型板端子を作業性良く容易に且つ確実に締付接続させることができる。内面８ａ側でナット２５に接続されたヒュージブルリンクの端子や丸型板端子は、両分割接続箱２，３が合体されることで、外部から封止されて雨水やゴミの侵入や干渉等から安全に保護される。
【００２５】
長いメインのバスバー６は接続箱本体の外壁４に沿って略Ｌ字状に屈曲形成され、幅狭部８から幅広部９の長辺側でヒューズと中電流ヒュージブルリンクに接続され、幅広部９の短辺側（端部側）でリレーの端子（図示せず）に接続される。図１は電気接続箱１の裏面視であり、ヒューズやヒュージブルリンクやリレーは各分割接続箱２，３の表面側に配置される。メインのバスバー６は外壁４と薄い絶縁壁との間に挟まれるように挿入保持されている。これは第二の分割接続箱３においても同様である。幅広部９の端部側には半割（半筒）状のハーネス導出部３６が形成されている。
【００２６】
図１で第二の分割接続箱３には幅狭部１０の端部側から外壁５の長辺部に沿ってメインのバスバー７が縦置きに配索され、バスバー７の終端部は外壁の短辺部側で略Ｌ字状に屈曲されている。両分割接続箱２，３のバスバー６，７はほぼ回転対称（対角状）に配置されている。幅狭部１０の端部寄りに一対のナット３７が配置され、一方のナット３７はバスバー７に接し、一方のナット３７にバスバー７と大電流用ヒュージブルリンクの一方の端子と電線付きの丸型板端子とがボルトで締付接続され、他方のナット３７に同じくヒュージブルリンクの他方の端子と電線付きの丸型板端子とがボルトで締付接続される。バスバー７に沿って接続箱長手方向に小電流用ヒューズや中電流用ヒュージブルリンクやリレーが配置接続される。
【００２７】
両分割接続箱２，３のバスバー６，７は太い電線（図示せず）で相互に接続される。例えば両分割接続箱２，３を合体させた後、第一の分割接続箱２の第三のナット３４と第二の分割接続箱３のナット３７とに電線を接続する。電線は外部に露出されて放熱されるから、電気接続箱１内の温度上昇が防止される。両分割接続箱２，３の対角線上のヒュージブルリンクの各一方の端子は丸型板端子付きの電線でオルタネータに接続される。
【００２８】
第二の分割接続箱３にはメインのバスバー７の端部側で短いサブのバスバー３８が隣接して配置され、サブのバスバー３８は例えば音叉状の挟持端子として小電流用の各ヒューズの一方の端子に接続される。メインのバスバー７とサブのバスバー３８とは例えばヒューズを介して接続される。幅狭部１０の端部に半割（半筒）状のハーネス導出部３９が形成されている。
【００２９】
両分割接続箱２，３における中電流用ヒュージブルリンクや小電流用ヒューズやリレーの接続はバスバー６，７，３５，３８以外に電線によって行われ、各電線は束ねられてワイヤハーネスとしてハーネス導出部３６，３９から外部に導出される。各分割接続箱２，３の下側にはカバー（図示せず）が装着され、カバーの半割状のハーネス導出部が前記ハーネス導出部３６，３９と合体して筒状のハーネス導出部を構成する。両分割接続箱２，３を合体させた状態で両分割接続箱２，３の間には若干の隙間４０が形成され、隙間４０を介して幅狭部側のバスバー６，７，３５やヒュージブルリンク接続部の空冷が行われる。
【００３０】
電気接続箱１を分割式としたことで、ワイヤハーネスのサブ分けが容易となる。すなわち、各分割接続箱２，３ごとにヒュージブルリンクやヒューズやリレーに対する接続用の端子を装着し、その端子に続く電線を配索することで、端子の装着作業性や電線の配索作業性が向上し、各分割接続箱２，３ごとのサブワイヤハーネスの取り扱いが容易化する。
【００３１】
また、各分割接続箱２，３の外壁４，５に沿って大電流用のバスバー６，７を配置したことで、バスバー６，７の放熱性が向上し、電気接続箱１内の温度上昇（発熱）が防止される。両バスバー１６，１７は対称に遠く離れて配置されているから、これによっても発熱防止作用が助長される。また、両分割接続箱２，３で大電流用のヒュージブルリンクを対角線上に遠く離して配置したことで、両ヒュージブルリンクの加熱が防止される。これらにより、バスバー周りやヒュージブルリンク周りのヒューズやリレー等への熱影響がなくなり、電気接続箱１の電気的接続の信頼性が向上すると共に、電気接続箱１をエンジンルーム等の高温箇所にも配置使用することができる。
【００３２】
なお、上記実施形態においては、二つに分割した電気接続箱１を示したが、二つに限らず、三つないしそれ以上に上記同様の手法で分割させることも可能である。例えば、電気接続箱１の短辺側に第三、第四の分割接続箱を合体させる等が放熱性の観点から有効である。また、ＬＡ端子である丸型板端子に限らず種々の形態の端子をヒュージブルリンクにナットで接続させることが可能である。また、電気接続箱１にリレーやヒューズやヒュージブルリンク以外にコネクタを配設して外部ワイヤハーネス等をコネクタ接続させることも可能である。コネクタは合成樹脂製のコネクタハウジングとハウジング内の端子とで構成される。
【００３３】
【発明の効果】
以上の如く、請求項１記載の発明によれば、大電流用のバスバーが各分割接続箱の外側に位置しているから、外部との放熱性が良く、バスバーの加熱が防止され、大電流用の各バスバーが相互に遠く離間しているから、相互の熱干渉が防止され、各バスバーに接続される各大電流用ヒュージブルリンクが電気接続箱の対角方向に遠く離間して位置するから、相互の熱干渉が防止され、これらにより、大電流に起因する電気接続箱の温度上昇が防止されて、電気接続箱の他のヒュースやリレーといった電気部品への熱影響が防止され、大電流用ヒュージブルリンクを含む各電気部品の性能が良好に確保され、電気接続箱の電気的接続の信頼性が向上する。
【００３４】
請求項２記載の発明によれば、大電流用ヒュージブルリンクの一対の端子を大電流用のバスバーや外部端子に作業性良くねじ締め接続させることができるから、ヒュージブルリンクの接続作業性が向上し、電気接続箱の生産性が高まる。また、幅狭部における大電流用ヒュージブルリンクの端子接続側のスペースが小さくて済むから、電気接続箱内のデッドスペースを極力小さくでき、電気接続箱のコンパクト化が可能となる。
【００３５】
請求項３記載の発明によれば、一方の分割接続箱の内面側においてヒュージブルリンクの端子接続部が他方の分割接続箱の幅広部で接合されて、外部からの雨水の侵入や干渉等から保護されるから、大電流用ヒュージブルリンクの電気的接続の信頼性が高まる。
【００３６】
請求項４記載の発明によれば、バスバー接続用の電線が外部又は電気接続箱内で露出されることで空冷されて、電気接続箱の温度上昇が防止されるから、大電流に起因する電気接続箱の他のヒュースやリレーといった電気部品への熱影響が防止され、電気的接続の信頼性が一層向上する。
【図面の簡単な説明】
【図１】本発明に係る分割式電気接続箱の一実施形態を示す平面図（裏面図）である。
【図２】第一の分割接続箱の要部を切断して示す斜視図である。
【図３】第一と第二の分割接続箱の合体状態を示す縦断面図である。
【図４】大電流用のバスバーを示す要部斜視図である。
【図５】従来の分割式電気接続箱の一形態を示す平面図である。
【図６】同じく従来の分割式電気接続箱におけるヒュージブルリンクの接続状態を示す分解斜視図である。
【符号の説明】
１　　　　　　　分割式電気接続箱
２，３　　　　　分割接続箱
４，５　　　　　外壁
６，７　　　　　バスバー
８，１０　　　　幅狭部
８ａ　　　　　　内面
８ｂ　　　　　　外面
９，１１　　　　幅広部
１２，１３　　　大電流用ヒュージブルリンク装着部
【図１】
2004072940.tif 000003
【図２】
2004072940.tif 000004
【図３】
2004072940.tif 000005
【図４】
2004072940.tif 000006
【図５】
2004072940.tif 000007
【図６】
2004072940.tif 000008